【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
異なる複数のタイミングで被写体を撮像して得られた複数の画像データを取得する取得手段と、
前記取得手段により取得された前記複数の画像データのそれぞれについて、前記被写体の顔領域を検出する顔領域検出手段と、
前記顔領域検出手段により検出された前記顔領域から、前記被写体の顔の構成要素の形状を表す顔情報を抽出する顔情報抽出手段と、
前記複数の画像データのそれぞれについて前記顔情報抽出手段により抽出された複数の前記顔情報のうちの１つの顔情報を、前記被写体の顔の表情を推定するための基準となる基準顔情報として選択する顔情報選択手段と、
前記顔情報選択手段により前記基準顔情報が選択された後に前記顔情報抽出手段により抽出された前記被写体の顔情報と前記基準顔情報とを比較して、前記被写体の顔の表情を推定する表情推定手段と、
前記顔情報選択手段により前記基準顔情報が選択された状態であるか否かを示す選択状態情報を前記被写体の画像と関連付けて表示する表示手段と、
を備えることを特徴とする画像処理装置。
【請求項２】
前記表示手段は、さらに、前記顔情報抽出手段により前記顔情報が抽出された状態であるか否かを示す抽出状態情報を前記被写体の画像に関連付けて表示する
ことを特徴とする請求項１に記載の画像処理装置。
【請求項３】
前記顔領域検出手段により前記顔領域が検出された前記被写体が複数存在する場合、
前記顔情報抽出手段は、複数の前記被写体のそれぞれの顔領域から、当該複数の被写体のそれぞれの顔情報を抽出し、
前記顔情報選択手段は、前記複数の被写体のそれぞれに対して、当該複数の被写体のそれぞれの基準顔情報を選択し、
前記表示手段は、前記複数の被写体のそれぞれの前記選択状態情報を、当該複数の被写体のそれぞれの画像に関連付けて表示する
ことを特徴とする請求項１または２に記載の画像処理装置。
【請求項４】
前記複数の被写体のうち、前記顔情報を抽出する対象となる被写体を指示する抽出対象指示を受け付ける入力手段をさらに備え、
前記顔情報抽出手段は、前記複数の被写体のうち、前記抽出対象指示により指示された前記対象となる被写体の顔情報を抽出する
ことを特徴とする請求項３に記載の画像処理装置。
【請求項５】
前記取得手段は、前記被写体を異なる複数のタイミングで撮像して、前記複数の画像データを取得する
ことを特徴とする請求項１から４のいずれか１項に記載の画像処理装置。
【請求項６】
取得手段が、異なる複数のタイミングで被写体を撮像して得られた複数の画像データを取得する取得ステップと、
顔領域検出手段が、前記取得ステップで取得された前記複数の画像データのそれぞれについて、前記被写体の顔領域を検出する顔領域検出ステップと、
顔情報抽出手段が、前記顔領域検出ステップで検出された前記顔領域から、前記被写体の顔の構成要素の形状を表す顔情報を抽出する顔情報抽出ステップと、
顔情報選択手段が、前記複数の画像データのそれぞれについて前記顔情報抽出ステップで抽出された複数の前記顔情報のうちの１つの顔情報を、前記被写体の顔の表情を推定するための基準となる基準顔情報として選択する顔情報選択ステップと、
表情推定手段が、前記顔情報選択ステップで前記基準顔情報が選択された後に前記顔情報抽出ステップで抽出された前記被写体の顔情報と前記基準顔情報とを比較して、前記被写体の顔の表情を推定する表情推定ステップと、
表示手段が、前記顔情報選択ステップで前記基準顔情報が選択された状態であるか否かを示す選択状態情報を前記被写体の画像と関連付けて表示する表示ステップと、
を備えることを特徴とする画像処理方法。
【請求項７】
コンピュータを、請求項１に記載の画像処理装置の各手段として機能させるための画像処理プログラム。
【手続補正２】
【補正対象書類名】明細書
【補正対象項目名】０００６
【補正方法】変更
【補正の内容】
【０００６】
本発明の第１側面に係る画像処理装置は、異なる複数のタイミングで被写体を撮像して得られた複数の画像データを取得する取得手段と、前記取得手段により取得された前記複数の画像データのそれぞれについて、前記被写体の顔領域を検出する顔領域検出手段と、前記顔領域検出手段により検出された前記顔領域から、前記被写体の顔の構成要素の形状を表す顔情報を抽出する顔情報抽出手段と、前記複数の画像データのそれぞれについて前記顔情報抽出手段により抽出された複数の前記顔情報のうちの１つの顔情報を、前記被写体の顔の表情を推定するための基準となる基準顔情報として選択する顔情報選択手段と、顔情報選択手段により前記基準顔情報が選択された後に前記顔情報抽出手段により抽出された前記被写体の顔情報と前記基準顔情報とを比較して、前記被写体の顔の表情を推定する表情推定手段と、前記顔情報選択手段により前記基準顔情報が選択された状態であるか否かを示す選択状態情報を前記被写体の画像と関連付けて表示する表示手段とを備えることを特徴とする。
【手続補正３】
【補正対象書類名】明細書
【補正対象項目名】０００７
【補正方法】変更
【補正の内容】
【０００７】
本発明の第２側面に係る画像処理方法は、取得手段が、異なる複数のタイミングで被写体を撮像して得られた複数の画像データを取得する取得ステップと、顔領域検出手段が、前記取得ステップで取得された前記複数の画像データのそれぞれについて、前記被写体の顔領域を検出する顔領域検出ステップと、顔情報抽出手段が、前記顔領域検出ステップで検出された前記顔領域から、前記被写体の顔の構成要素の形状を表す顔情報を抽出する顔情報抽出ステップと、顔情報選択手段が、前記複数の画像データのそれぞれについて前記顔情報抽出ステップで抽出された複数の前記顔情報のうちの１つの顔情報を、前記被写体の顔の表情を推定するための基準となる基準顔情報として選択する顔情報選択ステップと、表情推定手段が、前記顔情報選択ステップで前記基準顔情報が選択された後に前記顔情報抽出ステップで抽出された前記被写体の顔情報と前記基準顔情報とを比較して、前記被写体の顔の表情を推定する表情推定ステップと、表示手段が、前記顔情報選択ステップで前記基準顔情報が選択された状態であるか否かを示す選択状態情報を前記被写体の画像と関連付けて表示する表示ステップとを備えることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】００６９
【補正方法】変更
【補正の内容】
【００６９】
例えば、システム制御部５０は、表情フラグがＯＮ状態にされた被写体の数が所定数以上である場合、撮影すべきであると判断し、表情フラグがＯＮ状態にされた被写体の数が所定数未満である場合、撮影すべきでないと判断する。
【手続補正６】
【補正対象書類名】明細書
【補正対象項目名】００７０
【補正方法】変更
【補正の内容】
【００７０】
あるいは、例えば、システム制御部５０は、表示フラグがＯＮ状態である旨の情報を第２シャッタースイッチ６４から受け取った場合、撮影すべきであると判断する。例えば、システム制御部５０は、表示フラグがＯＮ状態である旨の情報を第２シャッタースイッチ６４から受け取らなかった場合、撮影すべきでないと判断する。
【手続補正７】
【補正対象書類名】明細書
【補正対象項目名】０１１２
【補正方法】変更
【補正の内容】
【０１１２】
例えば、第１の報知手段２８は、表示枠６００やインジケータ６０２の表示色を変更したり、表示枠６００やインジケータ６０２を点滅させるなどして、変化量が閾値を超えていない場合と異なる表示形式で、被写体が目標とする表情に達したことを報知する。